(57)【要約】  ポンプ（１Ａ）は、第１板状体（３０）および第２板状体（４０）によって規定される第１ポンプ室（２１）と、第１板状体（３０）および第３板状体（５０）によって規定される第２ポンプ室（２２）と、駆動体（９０）とを備える。駆動体（９０）は、第１板状体（３０）を屈曲振動させることにより、第１ポンプ室（２１）および第２ポンプ室（２２）の双方に圧力変動を生じさせる。第１板状体（３０）には、当該第１板状体（３０）の中央部に直交する軸線（１００）に重ならない複数個の第１孔部（３１）が設けられ、当該複数個の第１孔部（３１）の各々には、逆止弁（８０）が付設される。第２板状体（４０）および第３板状体（５０）には、それぞれ第２孔部（４１）および第３孔部（５１）が設けられ、第２孔部（４１）および第３孔部（５１）のうちの少なくとも一方には、逆止弁が付設される。
2019138676.tif 000002
【特許請求の範囲】
【請求項１】
第１板状体と、
前記第１板状体に対向する第２板状体と、
前記第１板状体から見て前記第２板状体が位置する側とは反対側に位置し、前記第１板状体に対向する第３板状体と、
前記第１板状体の周縁部および前記第２板状体の周縁部を接続する第１周壁部と、
前記第１板状体の周縁部および前記第３板状体の周縁部を接続する第２周壁部と、
前記第１板状体および前記第２板状体の間に位置し、前記第１板状体、前記第２板状体および前記第１周壁部によって規定された第１ポンプ室と、
前記第１板状体および前記第３板状体の間に位置し、前記第１板状体、前記第３板状体および前記第２周壁部によって規定された第２ポンプ室と、
前記第１板状体を屈曲振動させることにより、前記第１ポンプ室および前記第２ポンプ室の双方に圧力変動を生じさせる駆動体とを備え、
前記第１板状体には、各々に逆止弁が付設された複数個の第１孔部が設けられ、
前記複数個の第１孔部の各々は、前記第１板状体の中央部に直交する軸線の延在方向に沿って見た場合に当該軸線に重ならない領域に配置され、
前記第２板状体には、１個または複数個の第２孔部が設けられ、
前記第３板状体には、１個または複数個の第３孔部が設けられ、
前記１個または複数個の第２孔部および前記１個または複数個の第３孔部のうちの少なくとも一方には、逆止弁が付設されている、ポンプ。
【請求項２】
前記駆動体が、前記第１板状体の中央部に振動の腹が形成されることとなるように、前記軸線を中心として前記第１板状体に定在波が発生するように前記第１板状体を屈曲振動させるものであり、
前記複数個の第１孔部の各々が、前記第１板状体に形成される振動の節に重ならない領域に配置されている、請求項１に記載のポンプ。
【請求項３】
前記複数個の第１孔部が、前記軸線の延在方向に沿って見た場合に当該軸線を中心とした円周上の位置に点列状に配置されている、請求項２に記載のポンプ。
【請求項４】
前記複数個の第１孔部のうちの隣り合う第１孔部の間の距離が、前記軸線と前記複数個の第１孔部の各々との間の距離よりも小さい、請求項３に記載のポンプ。
【請求項５】
前記第１板状体の中央部を除く位置においても振動の腹が形成されることとなるように、前記第１板状体が、前記駆動体によって屈曲振動される、請求項２から４のいずれかに記載のポンプ。
【請求項６】
前記複数個の第１孔部のうちの少なくとも１個が、前記第１板状体の中央部を除く位置に形成される振動の腹に重なる領域に配置されている、請求項５に記載のポンプ。
【請求項７】
前記複数個の第１孔部の各々が、前記第１板状体の中央部を除く位置に形成される振動の腹に重なる領域に配置されている、請求項６に記載のポンプ。
【請求項８】
前記複数個の第１孔部の各々が、前記第１板状体の周縁部を除く領域に形成される振動の節のうち、当該第１板状体の中央部から最も遠い位置に形成される振動の節よりも外側の領域に配置されている、請求項５に記載のポンプ。
【請求項９】
前記１個または複数個の第２孔部に逆止弁が付設され、
前記１個または複数個の第２孔部が、前記軸線の延在方向に沿って見た場合に前記第１板状体に形成される振動の節に重ならない領域に配置されている、請求項５から８のいずれかに記載のポンプ。
【請求項１０】
前記１個または複数個の第２孔部が、前記軸線の延在方向に沿って見た場合に前記第１板状体の中央部を除く位置に形成される振動の腹に重なる領域に配置されている、請求項９に記載のポンプ。
【請求項１１】
前記１個または複数個の第３孔部に逆止弁が付設され、
前記１個または複数個の第３孔部が、前記軸線の延在方向に沿って見た場合に前記第１板状体に形成される振動の節に重ならない領域に配置されている、請求項５から１０のいずれかに記載のポンプ。
【請求項１２】
前記１個または複数個の第３孔部が、前記軸線の延在方向に沿って見た場合に前記第１板状体の中央部を除く位置に形成される振動の腹に重なる領域に配置されている、請求項１１に記載のポンプ。
【請求項１３】
前記駆動体が、前記第１板状体の中央部に振動の腹が形成されることとなるように、前記軸線を中心として前記第１板状体に定在波が発生するように前記第１板状体を屈曲振動させるものであり、
前記複数個の第１孔部の各々が、前記第１板状体に形成される振動の節に重ならない領域に配置され、
前記第２孔部が複数個設けられるとともに、当該複数個の第２孔部の各々に逆止弁が付設され、
前記複数個の第１孔部が、前記軸線の延在方向に沿って見た場合に当該軸線を中心とした円周上の位置に点列状に配置され、
前記複数個の第２孔部が、前記軸線の延在方向に沿って見た場合に当該軸線を中心とした円周上の位置に点列状に配置されている、請求項１に記載のポンプ。
【請求項１４】
前記第１板状体の中央部を除く位置においても振動の腹が形成されることとなるように、前記第１板状体が、前記駆動体によって屈曲振動され、
前記複数個の第２孔部が、前記軸線の延在方向に沿って見た場合に前記第１板状体に形成される振動の節に重ならない領域に配置されている、請求項１３に記載のポンプ。
【請求項１５】
前記複数個の第１孔部の各々が、前記第１板状体の中央部を除く位置に形成される振動の腹に重なる領域に配置され、
前記複数個の第２孔部の各々が、前記軸線の延在方向に沿って見た場合に前記第１板状体に形成される振動の腹に重なる領域に配置されている、請求項１４に記載のポンプ。
【請求項１６】
前記複数個の第２孔部の総数が、前記複数個の第１孔部の総数よりも少ない、請求項１３から１５のいずれかに記載のポンプ。
【請求項１７】
前記第３孔部が複数個設けられるとともに、当該複数個の第３孔部の各々に逆止弁が付設され、
前記複数個の第３孔部が、前記軸線の延在方向に沿って見た場合に当該軸線を中心とした円周上の位置に点列状に配置されている、請求項１３に記載のポンプ。
【請求項１８】
前記第１板状体の中央部を除く位置においても振動の腹が形成されることとなるように、前記第１板状体が、前記駆動体によって屈曲振動され、
前記複数個の第２孔部が、前記軸線の延在方向に沿って見た場合に前記第１板状体に形成される振動の節に重ならない領域に配置され、
前記複数個の第３孔部が、前記軸線の延在方向に沿って見た場合に前記第１板状体に形成される振動の節に重ならない領域に配置されている、請求項１７に記載のポンプ。
【請求項１９】
前記複数個の第１孔部の各々が、前記第１板状体の中央部を除く位置に形成される振動の腹に重なる領域に配置され、
前記複数個の第２孔部の各々が、前記軸線の延在方向に沿って見た場合に前記第１板状体に形成される振動の腹に重なる領域に配置され、
前記複数個の第３孔部の各々が、前記軸線の延在方向に沿って見た場合に前記第１板状体に形成される振動の腹に重なる領域に配置されている、請求項１８に記載のポンプ。
【請求項２０】
前記複数個の第２孔部の総数が、前記複数個の第１孔部の総数よりも少なく、
前記複数個の第３孔部の総数が、前記複数個の第１孔部の総数よりも少ない、請求項１７から１９のいずれかに記載のポンプ。
【請求項２１】
前記駆動体が、前記第２板状体の中央部に振動の腹が形成されることとなるように、前記軸線を中心として前記第２板状体に定在波が発生するように前記第２板状体を屈曲振動させるとともに、前記第３板状体の中央部に振動の腹が形成されることとなるように、前記軸線を中心として前記第３板状体に定在波が発生するように前記第３板状体を屈曲振動させるものである、請求項１３から２０のいずれかに記載のポンプ。
【請求項２２】
前記第１孔部、前記第２孔部および前記第３孔部以外の孔が、前記第１板状体、前記第２板状体、前記第３板状体、前記第１周壁部および前記第２周壁部のいずれにも設けられていない、請求項１から２１のいずれかに記載のポンプ。
【請求項２３】
前記駆動体が、略平板状の圧電素子を含み、
前記圧電素子が、前記第１板状体の中央部に貼り付けられている、請求項１から２２のいずれかに記載のポンプ。
【請求項２４】
前記複数個の第１孔部の各々が、前記軸線の延在方向に沿って見た場合にいずれも前記圧電素子よりも外側に配置されている、請求項２３に記載のポンプ。
【請求項２５】
請求項１から２４のいずれかに記載のポンプが搭載された、流体制御装置。
【発明の詳細な説明】
【技術分野】
【０００１】
本発明は、振動板の屈曲振動を利用した容積式のポンプおよびこれを備えた流体制御装置に関し、特に、振動板を駆動する駆動体として圧電素子を利用した圧電ポンプおよびこれを備えた流体制御装置に関する。
【背景技術】
【０００２】
従来、容積式のポンプの一種である圧電ポンプが知られている。圧電ポンプは、圧電素子が貼り付けられた振動板によってポンプ室の少なくとも一部が規定されてなるものであり、当該圧電素子に所定周波数の交流電圧を印加することで振動板を共振周波数で駆動し、これによりポンプ室に圧力変動を生じさせて流体の吸入および吐出を可能にするものである。【０００３】
圧電ポンプの一構成例が開示された文献として、たとえば国際公開第２０１６／０１３３９０号明細書（特許文献１）がある。当該特許文献１に開示された圧電ポンプにおいては、対向配置された一対の振動板によってポンプ室が規定されており、当該一対の振動板の一方に圧電素子が貼り付けられた構成が採用されている。【０００４】
上記特許文献１に開示された圧電ポンプにおいては、一対の振動板のうちの圧電素子が貼り付けられていない方の振動板の中央部に、逆止弁が付設された１個の孔部が設けられており、一対の振動板のうちの圧電素子が貼り付けられた方の振動板の中央部および周辺部を除く中間部に、円環状に点列して配置された複数個の孔部が設けられている。【０００５】
ここで、当該特許文献１に開示された圧電ポンプのある形態においては、上述した円環状に点列して配置された複数個の孔部の各々に逆止弁が付設された構成が採用されており、また、他のある形態においては、当該複数個の孔部の各々に逆止弁が付設されていない構成が採用されている。【０００６】
上述したいずれかの形態に係る圧電ポンプにおいては、圧電素子によって一対の振動板が逆方向に変位するように屈曲振動させられることでポンプ室に圧力変動が生じることになり、このポンプ室の圧力変動に伴って、当該ポンプ室の外部に位置する流体が、圧電素子が貼り付けられた振動板に設けられた複数個の孔部から吸入され、その後、圧電素子が貼り付けられていない振動板に設けられた１個の孔部から当該流体が吐出されることになり、これによりポンプ機能が発揮されることになる。
【先行技術文献】
【特許文献】
【０００７】
【特許文献１】国際公開第２０１６／０１３３９０号明細書
【発明の概要】
【発明が解決しようとする課題】
【０００８】
ここで、逆止弁が付設された孔部は、逆止弁が付設されていない孔部に比べて流路が狭くなる分、流路抵抗が大きくなる。そのため、上述した特許文献１に開示された圧電ポンプのように、逆止弁が付設された孔部を振動板の中央部に設ける構成とした場合には、圧電ポンプの全体としての流量が当該孔部によって決定されてしまい、当該流量を増大させることに自ずと限界が生じてしまう。【０００９】
これを回避すべく、単純に、逆止弁が付設された孔部を振動板の中央部および周縁部を除く中間部に複数個設ける構成とした場合には、流路抵抗が大幅に小さくなるものの、当該中間部における振動板の駆動時における変位量は、中央部のそれに比べて小さいため、逆止弁の開閉自体が不十分となる問題が発生してしまう。そのため、当該構成を採用した場合にも、圧電ポンプ全体としての流量を増大させることは困難である。【００１０】
したがって、本発明は、上述した問題に鑑みてなされたものであり、振動板の屈曲振動を利用した容積式のポンプおよびこれを備えた流体制御装置において、従来に比して流量の増大を図ることを目的とする。
【課題を解決するための手段】
【００１１】
本発明に基づくポンプは、第１板状体と、第２板状体と、第３板状体と、第１周壁部と、第２周壁部と、第１ポンプ室と、第２ポンプ室と、駆動体とを備えている。上記第２板状体は、上記第１板状体に対向している。上記第３板状体は、上記第１板状体から見て上記第２板状体が位置する側とは反対側に位置しており、上記第１板状体に対向している。上記第１周壁部は、上記第１板状体の周縁部および上記第２板状体の周縁部を接続している。上記第２周壁部は、上記第１板状体の周縁部および上記第３板状体の周縁部を接続している。上記第１ポンプ室は、上記第１板状体および上記第２板状体の間に位置しており、上記第１板状体、上記第２板状体および上記第１周壁部によって規定されている。上記第２ポンプ室は、上記第１板状体および上記第３板状体の間に位置しており、上記第１板状体、上記第３板状体および上記第２周壁部によって規定されている。上記駆動体は、上記第１板状体を屈曲振動させることにより、上記第１ポンプ室および上記第２ポンプ室の双方に圧力変動を生じさせる。上記第１板状体には、各々に逆止弁が付設された複数個の第１孔部が設けられており、上記複数個の第１孔部の各々は、上記第１板状体の中央部に直交する軸線の延在方向に沿って見た場合に当該軸線に重ならない領域に配置されている。上記第２板状体には、１個または複数個の第２孔部が設けられており、上記第３板状体には、１個または複数個の第３孔部が設けられている。上記１個または複数個の第２孔部および上記１個または複数個の第３孔部のうちの少なくとも一方には、逆止弁が付設されている。【００１２】
上記本発明に基づくポンプにあっては、上記駆動体が、上記第１板状体の中央部に振動の腹が形成されることとなるように、上記軸線を中心として上記第１板状体に定在波が発生するように上記第１板状体を屈曲振動させるものであってもよく、その場合には、上記複数個の第１孔部の各々が、上記第１板状体に形成される振動の節に重ならない領域に配置されていることが好ましい。【００１３】
上記本発明に基づくポンプにあっては、上記複数個の第１孔部が、上記軸線の延在方向に沿って見た場合に当該軸線を中心とした円周上の位置に点列状に配置されていることが好ましい。【００１４】
上記本発明に基づくポンプにあっては、上記複数個の第１孔部のうちの隣り合う第１孔部の間の距離が、上記軸線と上記複数個の第１孔部の各々との間の距離よりも小さいことが好ましい。【００１５】
上記本発明に基づくポンプにあっては、上記第１板状体の中央部を除く位置においても振動の腹が形成されることとなるように、上記第１板状体が、上記駆動体によって屈曲振動されてもよい。【００１６】
上記本発明に基づくポンプにあっては、上記複数個の第１孔部のうちの少なくとも１個が、上記第１板状体の中央部を除く位置に形成される振動の腹に重なる領域に配置されていることが好ましい。【００１７】
上記本発明に基づくポンプにあっては、上記複数個の第１孔部の各々が、上記第１板状体の中央部を除く位置に形成される振動の腹に重なる領域に配置されていることがより好ましい。【００１８】
上記本発明に基づくポンプにあっては、上記複数個の第１孔部の各々が、上記第１板状体の周縁部を除く領域に形成される振動の節のうち、当該第１板状体の中央部から最も遠い位置に形成される振動の節よりも外側の領域に配置されていてもよい。【００１９】
上記本発明に基づくポンプにあっては、上記１個または複数個の第２孔部に逆止弁が付設されている場合に、上記１個または複数個の第２孔部が、上記軸線の延在方向に沿って見た場合に上記第１板状体に形成される振動の節に重ならない領域に配置されていることが好ましい。【００２０】
上記本発明に基づくポンプにあっては、上記１個または複数個の第２孔部に逆止弁が付設されている場合に、上記１個または複数個の第２孔部が、上記軸線の延在方向に沿って見た場合に上記第１板状体の中央部を除く位置に形成される振動の腹に重なる領域に配置されていることがより好ましい。【００２１】
上記本発明に基づくポンプにあっては、上記１個または複数個の第３孔部に逆止弁が付設されている場合には、上記１個または複数個の第３孔部が、上記軸線の延在方向に沿って見た場合に上記第１板状体に形成される振動の節に重ならない領域に配置されていることが好ましい。【００２２】
上記本発明に基づくポンプにあっては、上記１個または複数個の第３孔部に逆止弁が付設されている場合には、上記１個または複数個の第３孔部が、上記軸線の延在方向に沿って見た場合に上記第１板状体の中央部を除く位置に形成される振動の腹に重なる領域に配置されていることがより好ましい。【００２３】
上記本発明に基づくポンプの第１態様および第２態様にあっては、上記駆動体が、上記第１板状体の中央部に振動の腹が形成されることとなるように、上記軸線を中心として上記第１板状体に定在波が発生するように上記第１板状体を屈曲振動させるものであり、また、上記複数個の第１孔部の各々が、上記第１板状体に形成される振動の節に重ならない領域に配置されており、さらには、上記第２孔部が複数個設けられているとともに、当該複数個の第２孔部の各々に逆止弁が付設されている。また、上記複数個の第１孔部は、上記軸線の延在方向に沿って見た場合に当該軸線を中心とした円周上の位置に点列状に配置されており、上記複数個の第２孔部は、上記軸線の延在方向に沿って見た場合に当該軸線を中心とした円周上の位置に点列状に配置されている。【００２４】
上記第１態様にあっては、上記第１板状体の中央部を除く位置においても振動の腹が形成されることとなるように、上記第１板状体が、上記駆動体によって屈曲振動されてもよい。その場合には、上記複数個の第２孔部が、上記軸線の延在方向に沿って見た場合に上記第１板状体に形成される振動の節に重ならない領域に配置されていることが好ましい。【００２５】
上記第１態様にあっては、上記複数個の第１孔部の各々が、上記第１板状体の中央部を除く位置に形成される振動の腹に重なる領域に配置されていることがより好ましい。また、上記複数個の第２孔部の各々は、上記軸線の延在方向に沿って見た場合に上記第１板状体に形成される振動の腹に重なる領域に配置されていることがより好ましい。【００２６】
上記第１態様にあっては、上記複数個の第２孔部の総数が、上記複数個の第１孔部の総数よりも少ないことが好ましい。【００２７】
上記第２態様にあっては、上記第３孔部が複数個設けられているとともに、当該複数個の第３孔部の各々に逆止弁が付設されている。また、上記複数個の第３孔部は、上記軸線の延在方向に沿って見た場合に当該軸線を中心とした円周上の位置に点列状に配置されている。【００２８】
上記第２態様にあっては、上記第１板状体の中央部を除く位置においても振動の腹が形成されることとなるように、上記第１板状体が、上記駆動体によって屈曲振動されてもよい。その場合には、上記複数個の第２孔部が、上記軸線の延在方向に沿って見た場合に上記第１板状体に形成される振動の節に重ならない領域に配置されていることが好ましく、また、上記複数個の第３孔部が、上記軸線の延在方向に沿って見た場合に上記第１板状体に形成される振動の節に重ならない領域に配置されていることが好ましい。【００２９】
上記第２態様にあっては、上記複数個の第１孔部の各々が、上記第１板状体の中央部を除く位置に形成される振動の腹に重なる領域に配置されていることがより好ましい。また、上記複数個の第２孔部の各々は、上記軸線の延在方向に沿って見た場合に上記第１板状体に形成される振動の腹に重なる領域に配置されていることがより好ましく、上記複数個の第３孔部の各々は、上記軸線の延在方向に沿って見た場合に上記第１板状体に形成される振動の腹に重なる領域に配置されていることがより好ましい。【００３０】
上記第２態様にあっては、上記複数個の第２孔部の総数が、上記複数個の第１孔部の総数よりも少なく、また、上記複数個の第３孔部の総数が、上記複数個の第１孔部の総数よりも少ないことが好ましい。【００３１】
上記第１態様および上記第２態様にあっては、上記駆動体が、上記第２板状体の中央部に振動の腹が形成されることとなるように、上記軸線を中心として上記第２板状体に定在波が発生するように上記第２板状体を屈曲振動させるとともに、上記第３板状体の中央部に振動の腹が形成されることとなるように、上記軸線を中心として上記第３板状体に定在波が発生するように上記第３板状体を屈曲振動させるものであってもよい。【００３２】
上記本発明に基づくポンプにあっては、上記第１孔部、上記第２孔部および上記第３孔部以外の孔が、上記第１板状体、上記第２板状体、上記第３板状体、上記第１周壁部および上記第２周壁部のいずれにも設けられていないことが好ましい。【００３３】
上記本発明に基づくポンプにあっては、上記駆動体が、略平板状の圧電素子を含んでいてもよく、その場合には、上記圧電素子が、上記第１板状体の中央部に貼り付けられていることが好ましい。【００３４】
上記本発明に基づくポンプにあっては、上記複数個の第１孔部の各々が、上記軸線の延在方向に沿って見た場合にいずれも上記圧電素子よりも外側に配置されていることが好ましい。【００３５】
本発明に基づく流体制御装置は、上述した本発明に基づくポンプが搭載されてなるものである。
【発明の効果】
【００３６】
本発明によれば、振動板の屈曲振動を利用した容積式のポンプおよびこれを備えた流体制御装置において、従来に比して流量の増大を図ることができる。
【図面の簡単な説明】
【００３７】
【図１】実施の形態１に係る圧電ブロアの模式的な断面図である。
【図２】図１に示す圧電ブロアの分解斜視図である。
【図３】図１に示す圧電ブロアの駆動部の構成および動作時に発生する気流のおおまかな方向ならびに第１ポンプ室および第２ポンプ室に発生する圧力変動を表わした模式図である。
【図４】図１に示す圧電ブロアの駆動部の動作状態およびその際に発生する気流の方向を経時的に表わした模式図である。
【図５】図１に示す第１振動板の平面図である。
【図６】変形例１に係る圧電ブロアの駆動部の構成および動作時に発生する気流のおおまかな方向を表わした模式図である。
【図７】変形例２に係る圧電ブロアの分解斜視図である。
【図８】実施の形態２に係る圧電ブロアの駆動部の構成および動作時に発生する気流のおおまかな方向ならびに第１ポンプ室および第２ポンプ室に発生する圧力変動を表わした模式図である。
【図９】実施の形態３に係る圧電ブロアの駆動部の構成および動作時に発生する気流のおおまかな方向ならびに第１ポンプ室および第２ポンプ室に発生する圧力変動を表わした模式図である。
【図１０】実施の形態４に係る圧電ブロアの駆動部の構成および動作時に発生する気流のおおまかな方向ならびに第１ポンプ室および第２ポンプ室に発生する圧力変動を表わした模式図である。
【図１１】実施の形態５に係る圧電ブロアの駆動部の構成および動作時に発生する気流のおおまかな方向ならびに第１ポンプ室および第２ポンプ室に発生する圧力変動を表わした模式図である。
【図１２】実施の形態６に係る圧電ブロアの駆動部の構成および動作時に発生する気流のおおまかな方向ならびに第１ポンプ室および第２ポンプ室に発生する圧力変動を表わした模式図である。
【発明を実施するための形態】
【００３８】
以下、本発明の実施の形態について、図を参照して詳細に説明する。以下に示す実施の形態は、気体を吸入して吐出するポンプとしての圧電ブロアに、本発明を適用した場合を例示するものである。なお、以下に示す実施の形態においては、同一のまたは共通する部分について図中同一の符号を付し、その説明は繰り返さない。
【００３９】
（実施の形態１）
図１は、本発明の実施の形態１に係る圧電ブロアの模式的な断面図であり、図２は、図１に示す圧電ブロアの分解斜視図である。まず、これら図１および図２を参照して、本実施の形態に係る圧電ブロア１Ａの構成について説明する。
【００４０】
図１および図２に示すように、本実施の形態に係る圧電ブロア１Ａは、筐体１０と、駆動部２０Ａとを主として備えている。筐体１０の内部には、偏平な円柱状の空間である収容空間１３が設けられており、駆動部２０Ａは、この収容空間１３に配置されている。
【００４１】
筐体１０は、樹脂製または金属製等の円盤状の第１ケース体１１と、樹脂製または金属製の偏平な有底円筒状の第２ケース体１２とを有している。筐体１０は、これら第１ケース体１１および第２ケース体１２が組み合わされてたとえば接着剤等によって接合されることにより、内部に上述した収容空間１３を有している。
【００４２】
第１ケース体１１の中央部および第２ケース体１２の中央部には、それぞれ外側に向けて突出する第１ノズル部１４および第２ノズル部１５が設けられている。圧電ブロア１Ａの外部の空間と上述した収容空間１３とは、これら第１ノズル部１４および第２ノズル部１５を介してそれぞれ連通している。
【００４３】
駆動部２０Ａは、第１板状体としての第１振動板３０と、第２板状体としての第２振動板４０と、第３板状体としての第３振動板５０と、第１周壁部としての第１スペーサ６０Ａと、第２周壁部としての第２スペーサ６０Ｂと、第１弁体保持部材７０Ａと、第２弁体保持部材７０Ｂと、第３弁体保持部材７０Ｃと、第１逆止弁８０Ａと、第２逆止弁８０Ｂと、第３逆止弁８０Ｃと、駆動体としての圧電素子９０とを主として有している。駆動部２０Ａは、これら部材が互いに積み重ねられた状態で一体化されることで構成されており、上述した筐体１０の収容空間１３に配置された状態で当該筐体１０によって保持されている。ここで、筐体１０の収容空間１３は、駆動部２０Ａによって第１ノズル部１４側の空間と第２ノズル部１５側の空間とに区画されている。
【００４４】
第１振動板３０は、たとえばステンレス鋼等からなる金属製の薄板にて構成されており、その外形は平面視円形状である。第１振動板３０の周縁部の外端は、たとえば接着剤等によって筐体１０に接合されている。第１振動板３０の中央部および周縁部を除く中間部には、複数個の第１孔部３１が円環状に点列して設けられている。
【００４５】
第２振動板４０は、第１振動板３０と対向しており、より詳細には、第１振動板３０から見て第１ケース体１１が位置する側に配置されている。第２振動板４０は、たとえばステンレス鋼等からなる金属製の薄板にて構成されており、その外形は平面視円形状である。第２振動板４０の中央部および周縁部を除く中間部には、複数個の第２孔部４１が円環状に点列して設けられている。
【００４６】
第３振動板５０は、第１振動板３０と対向しており、より詳細には、第１振動板３０から見て第２ケース体１２が位置する側（すなわち、第１振動板３０から見て第２振動板４０が位置する側とは反対側）に配置されている。第３振動板５０は、たとえばステンレス鋼等からなる金属製の薄板にて構成されており、その外形は平面視円形状である。第３振動板５０の中央部および周縁部を除く中間部には、複数個の第３孔部５１が円環状に点列して設けられている。
【００４７】
第１スペーサ６０Ａは、第１振動板３０と第２振動板４０との間に位置しており、これら第１振動板３０と第２振動板４０とによって挟み込まれている。第１スペーサ６０Ａは、たとえばステンレス鋼等からなる金属製の部材にて構成されており、その外形は円環板状である。
【００４８】
第１スペーサ６０Ａは、第１振動板３０の上述した外端を除く部分の周縁部と、第２振動板４０の周縁部とを接続している。これにより、第１振動板３０および第２振動板４０は、第１スペーサ６０Ａによって所定の距離だけ隔てて配置されることになる。なお、第１スペーサ６０Ａと第１振動板３０とは、たとえば接着剤等によって接合されており、第１スペーサ６０Ａと第２振動板４０とは、たとえば接着剤等によって接合されている。
【００４９】
第１振動板３０と第２振動板４０との間に位置する空間は、第１ポンプ室２１として機能する。当該第１ポンプ室２１は、第１振動板３０、第２振動板４０および第１スペーサ６０Ａによって規定されており、偏平な円柱状の空間にて構成されている。ここで、第１スペーサ６０Ａは、第１ポンプ室２１を規定するとともに第１振動板３０および第２振動板４０を接続する周壁部に該当することになる。
【００５０】
第２スペーサ６０Ｂは、第１振動板３０と第３振動板５０との間に位置しており、これら第１振動板３０と第３振動板５０とによって挟み込まれている。第２スペーサ６０Ｂは、たとえばステンレス鋼等からなる金属製の部材にて構成されており、その外形は円環板状である。
【００５１】
第２スペーサ６０Ｂは、第１振動板３０の上述した外端を除く部分の周縁部と、第３振動板５０の周縁部とを接続している。これにより、第１振動板３０および第３振動板５０は、第２スペーサ６０Ｂによって所定の距離だけ隔てて配置されることになる。なお、第２スペーサ６０Ｂと第１振動板３０とは、たとえば接着剤等によって接合されており、第２スペーサ６０Ｂと第３振動板５０とは、たとえば接着剤等によって接合されている。
【００５２】
第１振動板３０と第３振動板５０との間に位置する空間は、第２ポンプ室２２として機能する。当該第２ポンプ室２２は、第１振動板３０、第３振動板５０および第２スペーサ６０Ｂによって規定されており、偏平な円柱状の空間にて構成されている。ここで、第２スペーサ６０Ｂは、第２ポンプ室２２を規定するとともに第１振動板３０および第３振動板５０を接続する周壁部に該当することになる。
【００５３】
第１弁体保持部材７０Ａは、たとえば接着剤等によって第１振動板３０の中央部に貼り付けられており、より詳細には、第１振動板３０から見て第３振動板５０が位置する側に配置されている。第１弁体保持部材７０Ａは、たとえばステンレス鋼等からなる金属製の薄板にて構成されており、その外形は平面視円形状である。第１弁体保持部材７０Ａは、第１振動板３０側に位置する主面の周縁部に、第１振動板３０から遠ざかる方向に向けて後退した第１環状段差部７１ａを有しており、当該第１環状段差部７１ａは、第１振動板３０に設けられた複数個の第１孔部３１に対向している。
【００５４】
第１逆止弁８０Ａは、たとえばポリイミド樹脂等の樹脂製の部材にて構成されており、その外形は円環板状である。第１逆止弁８０Ａは、第１弁体保持部材７０Ａの第１環状段差部７１ａに遊嵌されることで当該第１環状段差部７１ａに収容されている。すなわち、第１逆止弁８０Ａは、第１弁体保持部材７０Ａの第１環状段差部７１ａと、当該第１環状段差部７１ａに対向する部分の第１振動板３０との間に位置している。
【００５５】
これにより、第１逆止弁８０Ａは、第１振動板３０に設けられた複数個の第１孔部３１を開閉できるように第１弁体保持部材７０Ａによって移動可能に保持されている。より詳細には、第１逆止弁８０Ａは、第１振動板３０に接近してこれに密着した状態において、複数個の第１孔部３１を閉鎖し、第１振動板３０から遠ざかった状態において、複数個の第１孔部３１を開放する。
【００５６】
第２弁体保持部材７０Ｂは、たとえば接着剤等によって第２振動板４０の中央部に貼り付けられており、より詳細には、第２振動板４０から見て第１振動板３０が位置する側に配置されている。第２弁体保持部材７０Ｂは、たとえばステンレス鋼等からなる金属製の薄板にて構成されており、その外形は平面視円形状である。第２弁体保持部材７０Ｂは、第２振動板４０側に位置する主面の周縁部に、第２振動板４０から遠ざかる方向に向けて後退した第２環状段差部７１ｂを有しており、当該第２環状段差部７１ｂは、第２振動板４０に設けられた複数個の第２孔部４１に対向している。
【００５７】
第２逆止弁８０Ｂは、たとえばポリイミド樹脂等の樹脂製の部材にて構成されており、その外形は円環板状である。第２逆止弁８０Ｂは、第２弁体保持部材７０Ｂの第２環状段差部７１ｂに遊嵌されることで当該第２環状段差部７１ｂに収容されている。すなわち、第２逆止弁８０Ｂは、第２弁体保持部材７０Ｂの第２環状段差部７１ｂと、当該第２環状段差部７１ｂに対向する部分の第２振動板４０との間に位置している。
【００５８】
これにより、第２逆止弁８０Ｂは、第２振動板４０に設けられた複数個の第２孔部４１を開閉できるように第２弁体保持部材７０Ｂによって移動可能に保持されている。より詳細には、第２逆止弁８０Ｂは、第２振動板４０に接近してこれに密着した状態において、複数個の第２孔部４１を閉鎖し、第２振動板４０から遠ざかった状態において、複数個の第２孔部４１を開放する。
【００５９】
第３弁体保持部材７０Ｃは、たとえば接着剤等によって第３振動板５０の中央部に貼り付けられており、より詳細には、第３振動板５０から見て第１振動板３０が位置する側とは反対側に配置されている。第３弁体保持部材７０Ｃは、たとえばステンレス鋼等からなる金属製の薄板にて構成されており、その外形は平面視円形状である。第３弁体保持部材７０Ｃは、第３振動板５０側に位置する主面の周縁部に、第３振動板５０から遠ざかる方向に向けて後退した第３環状段差部７１ｃを有しており、当該第３環状段差部７１ｃは、第３振動板５０に設けられた複数個の第３孔部５１に対向している。
【００６０】
第３逆止弁８０Ｃは、たとえばポリイミド樹脂等の樹脂製の部材にて構成されており、その外形は円環板状である。第３逆止弁８０Ｃは、第３弁体保持部材７０Ｃの第３環状段差部７１ｃに遊嵌されることで当該第３環状段差部７１ｃに収容されている。すなわち、第３逆止弁８０Ｃは、第３弁体保持部材７０Ｃの第３環状段差部７１ｃと、当該第３環状段差部７１ｃに対向する部分の第３振動板５０との間に位置している。
【００６１】
これにより、第３逆止弁８０Ｃは、第３振動板５０に設けられた複数個の第３孔部５１を開閉できるように第３弁体保持部材７０Ｃによって移動可能に保持されている。より詳細には、第３逆止弁８０Ｃは、第３振動板５０に接近してこれに密着した状態において、複数個の第３孔部５１を閉鎖し、第３振動板５０から遠ざかった状態において、複数個の第３孔部５１を開放する。
【００６２】
圧電素子９０は、たとえば接着剤を介して第１弁体保持部材７０Ａに貼り付けられることにより、当該第１弁体保持部材７０Ａを介して第１振動板３０の中央部に貼り付けられている。これにより、圧電素子９０は、第１振動板３０の第２ポンプ室２２に面する側に位置する主面側に貼り付けられることになる。圧電素子９０は、たとえばチタン酸ジルコン酸鉛（ＰＺＴ）等の圧電材料からなる薄板にて構成されており、その外形は平面視円形状である。
【００６３】
圧電素子９０は、交流電圧が印加されることで屈曲振動するものであり、当該圧電素子９０に生じる屈曲振動が第１振動板３０、第２振動板４０および第３振動板５０に伝播されることにより、第１振動板３０、第２振動板４０および第３振動板５０も屈曲振動することになる。すなわち、圧電素子９０は、第１振動板３０、第２振動板４０および第３振動板５０を屈曲振動させる駆動体に該当し、所定周波数の交流電圧が印加されることで第１振動板３０、第２振動板４０および第３振動板５０をそれぞれ共振周波数で振動させ、これにより第１振動板３０、第２振動板４０および第３振動板の各々に定在波を発生させる。
【００６４】
ここで、圧電素子９０は、必ずしも平面視円形状である必要はなく、平面視正多角形状であってもよい。圧電素子９０が平面視円形状または正多角形状である場合には、第１振動板３０の中心と圧電素子９０の中心とが一致するようにこれら第１振動板３０および圧電素子９０が配置されていることが好ましい。このように構成することにより、第１振動板３０に定在波をより確実にかつ容易に発生させることができる。
【００６５】
以上の構成を有することにより、本実施の形態に係る圧電ブロア１Ａにおいては、第１ノズル部１４と第２ノズル部１５との間に第１ポンプ室２１および第２ポンプ室２２が位置することになり、筐体１０の収容空間１３のうち、第１ポンプ室２１が設けられた位置よりも第１ノズル部１４側の空間と第１ポンプ室２１とが、第２振動板４０に設けられた複数個の第２孔部４１が第２逆止弁８０Ｂによって閉鎖されていない状態において、当該複数個の第２孔部４１によって連通した状態にあるとともに、筐体１０の収容空間１３のうち、第２ポンプ室２２が設けられた位置よりも第２ノズル部１５側の空間と第２ポンプ室２２とが、第３振動板５０に設けられた複数個の第３孔部５１が第３逆止弁８０Ｃによって閉鎖されていない状態において、当該複数個の第３孔部５１によって連通した状態にあり、さらには、第１ポンプ室２１と第２ポンプ室２２とが、第１振動板３０に設けられた複数個の第１孔部３１が第１逆止弁８０Ａによって閉鎖されていない状態において、当該複数個の第１孔部３１によって連通した状態にあることになる。
【００６６】
ここで、本実施の形態に係る圧電ブロア１Ａにおいては、圧電素子９０が、第１振動板３０の中央部、第２振動板４０の中央部および第３振動板５０の中央部に直交する軸線１００を中心として第１振動板３０、第２振動板４０および第３振動板５０の各々に定在波が発生するように第１振動板３０、第２振動板４０および第３振動板５０を屈曲振動させる。より詳細には、圧電素子９０は、第１振動板３０の中央部、第２振動板４０の中央部および第３振動板５０の中央部にそれぞれ振動の腹が形成されるとともに、当該第１振動板３０の中央部を除く位置、当該第２振動板４０の中央部を除く位置および当該第３振動板５０の中央部を除く位置においても振動の腹が形成されることとなるように、第１振動板３０、第２振動板４０および第３振動板５０を屈曲振動させる。なお、本実施の形態に係る圧電ブロア１Ａにおいては、それぞれの振動板の中央部を除く位置において、振動の腹がそれぞれ径方向において１箇所形成されることとなるように、第１振動板３０、第２振動板４０および第３振動板５０が駆動される。
【００６７】
その際、圧電素子９０は、当該圧電素子９０が貼り付けられた第１振動板３０を直接的に駆動し、当該圧電素子９０が貼り付けられていない第２振動板４０および第３振動板５０をそれぞれ第１周壁部としての第１スペーサ６０Ａおよび第２周壁部としての第２スペーサ６０Ｂを介して間接的に駆動する。このとき、第１振動板３０の形状および第２振動板４０の形状（特にこれら振動板の厚み）を適切に設計することにより、第１振動板３０と第２振動板４０とが、それぞれ逆方向に向けて変位することになる。同様に、第１振動板３０の形状および第３振動板５０の形状（特にこれら振動板の厚み）を適切に設計することにより、第１振動板３０と第３振動板５０とが、それぞれ逆方向に向けて変位することになる。
【００６８】
この逆方向に向けての第１振動板３０および第２振動板４０の振動により、第１ポンプ室２１は、膨張および収縮を繰り返すことになり、また、この逆方向に向けての第１振動板３０および第３振動板５０の振動により、第２ポンプ室２２は、膨張および収縮を繰り返すことになる。これにより、第１ポンプ室２１の内部および第２ポンプ室２２の内部においてそれぞれ共鳴が発生することになり、これに伴って第１ポンプ室２１および第２ポンプ室２２の各々に大きな圧力変動が生じることになる。その結果、時間的に交互に第１ポンプ室２１および第２ポンプ室２２に正圧および負圧が発生することになり、この圧力変動によって気体を圧送するポンプ機能が実現されることになる。
【００６９】
図３は、図１に示す圧電ブロアの駆動部の構成および動作時に発生する気流のおおまかな方向ならびに第１ポンプ室および第２ポンプ室に発生する圧力変動を表わした模式図であり、図４は、図１に示す圧電ブロアの駆動部の動作状態およびその際に発生する気流の方向を経時的に表わした模式図である。次に、これら図３および図４を参照して、本実施の形態に係る圧電ブロア１Ａの動作状態について詳細に説明する。
【００７０】
図３を参照して、本実施の形態に係る圧電ブロア１Ａにおいては、上述したように、第１振動板３０に設けられた複数個の第１孔部３１の各々に第１逆止弁８０Ａが付設されており、第２振動板４０に設けられた複数個の第２孔部４１の各々に第２逆止弁８０Ｂが付設されており、第３振動板５０に設けられた複数個の第３孔部５１の各々に第３逆止弁８０Ｃが付設されている。
【００７１】
ここで、複数個の第１孔部３１の各々に設けられた第１逆止弁８０Ａは、第１ポンプ室２１から第２ポンプ室２２に向けての気体の流通を許容する反面、その逆方向に向けての気体の流通を許容しないように構成されたものであり、複数個の第２孔部４１の各々に設けられた第２逆止弁８０Ｂは、筐体１０の収容空間１３のうちの第１ノズル部１４側の空間から第１ポンプ室２１に向けての気体の流通を許容する反面、その逆方向に向けての気体の流通を許容しないように構成されたものであり、複数個の第３孔部５１の各々に設けられた第３逆止弁８０Ｃは、第２ポンプ室２２から筐体１０の収容空間１３のうちの第２ノズル部１５側の空間に向けての気体の流通を許容する反面、その逆方向に向けての気体の流通を許容しないように構成されたものである。そのため、これら第１逆止弁８０Ａ、第２逆止弁８０Ｂおよび第３逆止弁８０Ｃの作用により、圧電ブロア１Ａの動作時に発生する気流の方向が決定されることになり、当該気流のおおまかな方向は、図３（Ａ）中において矢印にて示す方向となる。
【００７２】
具体的には、図４（Ａ）に示すように、第１振動板３０の中央部および第２振動板４０の中央部が互いに近づく方向に変位するとともに、第１振動板３０の中央部および第３振動板５０の中央部が互いに遠ざかる方向に変位した状態においては、複数個の第１孔部３１の近傍に位置する部分の第１ポンプ室２１に負圧が発生するとともに、複数個の第１孔部３１の近傍に位置する部分の第２ポンプ室２２に正圧が発生するため、第１逆止弁８０Ａは、これら複数個の第１孔部３１を閉鎖する。また、当該状態においては、複数個の第２孔部４１の近傍に位置する部分の第１ポンプ室２１に負圧が発生するため、第２逆止弁８０Ｂは、複数個の第２孔部４１を開放する。さらに、当該状態においては、複数個の第３孔部５１の近傍に位置する部分の第２ポンプ室２２に正圧が発生するため、第３逆止弁８０Ｃは、複数個の第３孔部５１を開放する。このとき、第１ポンプ室２１の体積が全体として増大するとともに、第２ポンプ室２２の体積が全体として減少するため、第２振動板４０に設けられた複数個の第２孔部４１を介して、第１ポンプ室２１に気体が吸入されるとともに、第３振動板５０に設けられた複数個の第３孔部５１を介して、第２ポンプ室２２から気体が吐出される。
【００７３】
その後、図４（Ｂ）に示すように、第１振動板３０の中央部および第２振動板４０の中央部が互いに遠ざかる方向に変位するとともに、第１振動板３０の中央部および第３振動板５０の中央部が互いに近づく方向に変位した状態においては、複数個の第１孔部３１の近傍に位置する部分の第１ポンプ室２１に正圧が発生するとともに、複数個の第１孔部３１の近傍に位置する部分の第２ポンプ室２２に負圧が発生するため、第１逆止弁８０Ａは、これら複数個の第１孔部３１を開放する。また、当該状態においては、複数個の第２孔部４１の近傍に位置する部分の第１ポンプ室２１に正圧が発生するため、第２逆止弁８０Ｂは、複数個の第２孔部４１を閉鎖する。さらに、当該状態においては、複数個の第３孔部５１の近傍に位置する部分の第２ポンプ室２２に負圧が発生するため、第３逆止弁８０Ｃは、複数個の第３孔部５１を閉鎖する。そのため、複数個の第１孔部３１を介して、第１ポンプ室２１から第２ポンプ室２２へと気体が移動することになる。
【００７４】
この図４（Ａ）に示す状態と図４（Ｂ）に示す状態とが交互に繰り返されるように第１振動板３０、第２振動板４０および第３振動板５０が振動することにより、図３（Ａ）において示す気流の向きが圧電ブロア１Ａにて発生することになる。そのため、筐体１０に設けられた第１ノズル部１４が、外部から気体を吸入する吸入ノズルとして機能するとともに、筐体１０に設けられた第２ノズル部１５が、外部へ気体を吐出する吐出ノズルとして機能することになり、圧電ブロア１Ａによって気体が圧送されることになる。
【００７５】
なお、図３（Ｂ）は、上述した図４（Ａ）に示す状態（以下、これを第１状態と称する）における第１ポンプ室２１および第２ポンプ室２２の各々の圧力分布を模式的に表わしており、図３（Ｃ）は、上述した図４（Ｂ）に示す状態（以下、これを第２状態と称する）における第１ポンプ室２１および第２ポンプ室２２の各々の圧力分布を模式的に表わしている。
【００７６】
これら図３（Ｂ）および図３（Ｃ）から明らかなように、本実施の形態に係る圧電ブロア１Ａにおいては、第１ポンプ室２１および第２ポンプ室２２の各々に共鳴が発生する上述した条件にて第１振動板３０、第２振動板４０および第３振動板５０が駆動されることにより、第１ポンプ室２１の中央部において第１ポンプ室２１の内部における圧力変動の腹が発生し、これよりも外側の位置において第１ポンプ室２１の内部における圧力変動の節が発生し、さらにこれよりも外側の位置において第１ポンプ室２１の内部における圧力変動の腹が発生し、第１ポンプ室２１の外縁部において第１ポンプ室２１の内部における圧力変動の節が発生するとともに、第２ポンプ室２２の中央部において第２ポンプ室２２の内部における圧力変動の腹が発生し、これよりも外側の位置において第２ポンプ室２２の内部における圧力変動の節が発生し、さらにこれよりも外側の位置において第２ポンプ室２２の内部における圧力変動の腹が発生し、第２ポンプ室２２の外縁部において第２ポンプ室２２の内部における圧力変動の節が発生する。
【００７７】
ここで、本実施の形態に係る圧電ブロア１Ａにおいては、図３（Ａ）を参照して、第１振動板３０に設けられた複数個の第１孔部３１、第２振動板４０に設けられた複数個の第２孔部４１および第３振動板５０に設けられた複数個の第３孔部５１が、以下の条件を満たしている。
【００７８】
第１振動板３０には、軸線１００の延在方向に沿って見た場合に当該軸線１００に重ならない領域であって、かつ、第１振動板３０に形成される振動の節に重ならない領域に、複数個の第１孔部３１が設けられており、当該複数個の第１孔部３１には、逆止弁８０が付設されている。より具体的には、複数個の第１孔部３１は、第１振動板３０の中央部を除く位置に形成される振動の腹に重なる領域に設けられている。また、複数個の第１孔部３１は、軸線１００の延在方向に沿って見た場合に当該軸線１００を中心とした円周上の位置に点列状に配置されている。
【００７９】
第２振動板４０には、軸線１００の延在方向に沿って見た場合に当該軸線１００に重ならない領域であって、かつ、当該第２振動板４０に形成される振動の節に重ならない領域に、複数個の第２孔部４１が設けられており（換言すれば、複数個の第２孔部４１の各々は、軸線１００の延在方向に沿って見た場合に第１振動板３０に形成される振動の節に重なる領域に設けられておらず）、当該複数個の第２孔部４１には、第２逆止弁８０Ｂが付設されている。より具体的には、複数個の第２孔部４１は、第２振動板４０の中央部を除く位置に形成される振動の腹に重なる領域に設けられている（換言すれば、複数個の第２孔部４１の各々は、軸線１００の延在方向に沿って見た場合に第１振動板３０に形成される振動の腹に重なる領域に設けられている）。また、複数個の第２孔部４１は、軸線１００の延在方向に沿って見た場合に当該軸線１００を中心とした円周上の位置に点列状に配置されている。
【００８０】
第３振動板５０には、軸線１００の延在方向に沿って見た場合に当該軸線１００に重ならない領域であって、かつ、当該第３振動板５０に形成される振動の節に重ならない領域に、複数個の第３孔部５１が設けられており（換言すれば、複数個の第３孔部５１の各々は、軸線１００の延在方向に沿って見た場合に第１振動板３０に形成される振動の節に重なる領域に設けられておらず）、当該複数個の第３孔部５１には、第３逆止弁８０Ｃが付設されている。より具体的には、複数個の第３孔部５１は、第３振動板５０の中央部を除く位置に形成される振動の腹に重なる領域に設けられている（換言すれば、複数個の第３孔部５１の各々は、軸線１００の延在方向に沿って見た場合に第１振動板３０に形成される振動の腹に重なる領域に設けられている）。また、複数個の第３孔部５１は、軸線１００の延在方向に沿って見た場合に当該軸線１００を中心とした円周上の位置に点列状に配置されている。
【００８１】
なお、第１ポンプ室２１および第２ポンプ室２２を規定する第１振動板３０、第２振動板４０、第３振動板５０、第１スペーサ６０Ａおよび第２スペーサ６０Ｂには、上述した複数個の第１孔部３１、複数個の第２孔部４１および複数個の第３孔部５１以外の孔は設けられていない。
【００８２】
このように構成することにより、本実施の形態に係る圧電ブロア１Ａにおいては、従来に比して流量の増大を図ることができる。以下、その理由について詳細に説明する。
【００８３】
本実施の形態に係る圧電ブロア１Ａにおいては、当該圧電ブロア１Ａにおける気流の方向を決定する第１逆止弁８０Ａ、第２逆止弁８０Ｂおよび第３逆止弁８０Ｃが、それぞれ、第１振動板３０の中央部および周縁部を除く中間部に設けられた複数個の第１孔部３１、第２振動板４０の中央部および周縁部を除く中間部に設けられた複数個の第２孔部４１、および、第３振動板５０の中央部および周縁部を除く中間部に設けられた複数個の第３孔部５１に付設されている。このように構成することにより、逆止弁が付設された孔部を振動板の中央部に設ける構成とした場合に比べ、当該複数個の第１孔部３１、複数個の第２孔部４１および複数個の第３孔部５１を通過する気体に対する流路抵抗が大幅に小さくなるため、これら部分における流量の増大を図ることができる。
【００８４】
しかしながら、前述のとおり、振動板の中央部および周縁部を除く中間部における変位量は、振動板の中央部のそれに比べて小さいため、上記構成を採用したのみでは、逆止弁の開閉自体が不十分となり易い。
【００８５】
そのため、この問題を解決するために、本実施の形態に係る圧電ブロア１Ａにおいては、特に、第１逆止弁８０Ａが付設された複数の第１孔部３１が設けられた第１振動板３０に対向するように、一対の第２振動板４０および第３振動板５０を配置することにより、当該第１振動板３０が第１ポンプ室２１と第２ポンプ室２２とによって挟まれるように構成し、これにより、第１ポンプ室２１と第２ポンプ室２２に発生する正圧および負圧の差圧を用いることにより、当該第１逆止弁８０Ａの開閉を確実ならしめている。
【００８６】
すなわち、図３（Ｂ）に示すように、第１状態においては、複数個の第１孔部３１の近傍に位置する部分の第１ポンプ室２１に負圧が発生し、複数個の第１孔部３１の近傍に位置する部分の第２ポンプ室２２に正圧が発生するため、これらの差圧ΔＰによって第１逆止弁８０Ａが閉じた状態がより確実に実現されることになり、図３（Ｃ）に示すように、第２状態においては、複数個の第１孔部３１の近傍に位置する部分の第１ポンプ室２１に正圧が発生し、複数個の第１孔部３１の近傍に位置する部分の第２ポンプ室２２に負圧が発生するため、これらの差圧ΔＰによって第１逆止弁８０Ａが開いた状態がより確実に実現されることになる。
【００８７】
また、第２振動板４０に設けられた複数個の第２孔部４１に第２逆止弁８０Ｂを設けるとともに、第３振動板５０に設けられた複数個の第３孔部５１に第３逆止弁８０Ｃを設けることにより、上述した第２状態において、複数個の第２孔部４１および複数個の第３孔部５１が、それぞれ第２逆止弁８０Ｂおよび第３逆止弁８０Ｃによって閉鎖させることになる。そのため、当該第２状態において、複数個の第１孔部３１の近傍に位置する部分の第１ポンプ室２１の正圧がより高く維持されるとともに、複数個の第１孔部３１の近傍に位置する部分の第２ポンプ室２２の負圧がより低く維持されることになり、結果として上述した差圧ΔＰが特に大きくなり、これに伴って第１逆止弁８０Ａが開いた状態がさらに確実に実現できることになる。
【００８８】
ここで、本実施の形態に係る圧電ブロア１Ａにおいては、上述したように、複数個の第１孔部３１が、第１振動板３０のうち、当該第１振動板３０の中央部を除く位置に形成される振動の腹に重なるように設けられているため、上述した第１ポンプ室２１と第２ポンプ室２２との差圧ΔＰがより大きく確保できることになり、この点においても第１逆止弁８０Ａの開閉をより確実ならしめることができる。
【００８９】
また、本実施の形態に係る圧電ブロア１Ａにおいては、上述したように、第２振動板４０に設けられた複数個の第２孔部４１が、当該第２振動板４０に形成される振動の腹に重なるように配置されているとともに、第３振動板５０に設けられた複数個の第３孔部５１が、当該第３振動板５０に形成される振動の腹に重なるように配置されているため、これら複数個の第２孔部４１に付設された第２逆止弁８０Ｂおよび複数個の第３孔部５１に付設された第３逆止弁８０Ｃについても、これらを確実に開閉させることが可能になる。
【００９０】
したがって、本実施の形態に係る圧電ブロア１Ａとすることにより、駆動部２０Ａにおける流路抵抗を下げつつ、第１逆止弁８０Ａ、第２逆止弁８０Ｂおよび第３逆止弁８０Ｃの開閉動作を確実ならしめることが可能になるため、結果として従来に比して流量の増大を図ることが可能になる。さらには、第２振動板４０に設けられた複数個の第２孔部４１の各々に第２逆止弁８０Ｂを付設するとともに、第３振動板５０に設けられた複数個の第３孔部５１の各々に第３逆止弁８０Ｃを付設した構成であるため、第１ポンプ室２１の圧力変動に伴う圧力振幅および第２ポンプ室２２の圧力変動に伴う圧力振幅をいずれも従来に比して高めることができ、吸入圧力および吐出圧力が高められた圧電ポンプとすることもできる。
【００９１】
なお、本実施の形態に係る圧電ブロア１Ａにおいては、上述したように、第２振動板４０に設けられた複数個の第２孔部４１および第３振動板５０に設けられた複数個の第３孔部５１が、いずれも円環状に点列して配置されているため、圧電ブロア１Ａ内における気流の軸対称性が向上することになり、気流に乱れが生じ難くなって効率的な気体の流通が実現できることになり、結果として流量の増大を図ることができる。
【００９２】
図５は、図１に示す第１振動板の平面図である。以下、この図５を参照して、本実施の形態に係る圧電ブロア１Ａにおいて、流量の増大を図る上でより好ましい構成について説明する。
【００９３】
図５に示すように、本実施の形態に係る圧電ブロア１Ａにおいては、上述したように、第１振動板３０の中央部および周縁部を除く中間部に、複数個の第１孔部３１が円環状に点列して設けられている。このように構成することにより、上述したように、第１振動板３０に設けられた複数個の第１孔部３１における流路抵抗が減少することになるため、流量の増大を図ることができる。
【００９４】
ここで、複数個の第１孔部３１は、互いに等間隔に配置された同一開口径の複数個の円柱状の孔にて構成されていていることが好ましい。このように構成することにより、圧電ブロア１Ａ内における気流の軸対称性が向上することになるため、気流に乱れが生じ難くなり、効率的な気体の流通が実現でき、結果として流量の増大を図ることができる。
【００９５】
また、複数個の第１孔部３１のうちの隣り合う第１孔部の間の距離Ｄ１は、軸線１００と複数個の第１孔部３１の各々との間の距離Ｄ２よりも小さいことが好ましい。これは、第１ポンプ室２１のうち、複数個の第１孔部３１の近傍に位置する気体は、第１ポンプ室２１の圧力変動に伴い、その一部が第１ポンプ室２１の中央部に向けて移動し、当該中央部にて反射することで元の位置に戻ってくることになるが、上記構成を採用することにより、複数個の第１孔部３１の近傍に位置する気体のうち、その多くが複数個の第１孔部３１に優先的に流れ込むことになり、これにより第１ポンプ室２１の中央部に向けて移動する気体の割合を減じることが可能になるためであり、結果として圧電ブロア１Ａの全体としての流量を増加させることができるためである。
【００９６】
また、本実施の形態に係る圧電ブロア１Ａにおいては、円環状に点列して配置された複数の第１孔部３１の各々が、軸線１００の延在方向に沿って見た場合にいずれも圧電素子９０の外側に位置している。このように構成した場合には、圧電素子９０に貫通孔等を設けずとも第１ポンプ室２１と第２ポンプ室２２とを容易に連通させることが可能になる。ここで、圧電素子９０に貫通孔を設けた場合には、製造コストおよび信頼性等の面において必ずしも有利な構成とはならない。これに対し、上述のとおりの構成とすれば、圧電素子９０に貫通孔を設ける必要がなく、より安価でかつ信頼性に優れた圧電ブロアとすることができる。
【００９７】
なお、上述した本実施の形態に係る圧電ブロア１Ａの各部の寸法および第１振動板３０、第２振動板４０および第３振動板５０に設けられる各種の孔の数等は特に制限されるものではないが、その一例を示せば、以下のとおりである。
【００９８】
第１振動板３０の直径は、たとえば２５［ｍｍ］であり、このうち第１ポンプ室２１および第２ポンプ室２２を規定する部分の直径は、たとえば１９［ｍｍ］である。第２振動板４０の直径は、たとえば２３［ｍｍ］であり、このうち第１ポンプ室２１を規定する部分の直径は、たとえば１９［ｍｍ］である。第３振動板５０の直径は、たとえば２３［ｍｍ］であり、このうち第２ポンプ室２２を規定する部分の直径は、たとえば１９［ｍｍ］である。第１振動板３０、第２振動板４０および第３振動板５０の厚みは、たとえばいずれも０．２［ｍｍ］である。また、第１スペーサ６０Ａおよび第２スペーサ６０Ｂの各々の外径および内径は、たとえばそれぞれ２３［ｍｍ］および１９［ｍｍ］であり、その厚みは、たとえば０．３［ｍｍ］である。
【００９９】
第１振動板３０に設けられた複数個の第１孔部３１は、第１振動板３０の中央部からたとえば６［ｍｍ］離れた位置に円環状に点列して配置され、各々の開口径は、たとえば０．４［ｍｍ］であり、その数は、５０個程度である。第２振動板４０に設けられた複数個の第２孔部４１は、第２振動板４０の中央部からたとえば６［ｍｍ］離れた位置に円環状に点列して配置され、各々の開口径は、たとえば０．４［ｍｍ］であり、その数は、５０個程度である。第３振動板５０に設けられた複数個の第３孔部５１は、第３振動板５０の中央部からたとえば６［ｍｍ］離れた位置に円環状に点列して配置され、各々の開口径は、たとえば０．４［ｍｍ］であり、その数は、５０個程度である。
【０１００】
（変形例１）
図６は、上述した実施の形態１に基づいた変形例１に係る圧電ブロアの駆動部の構成および動作時に発生する気流のおおまかな方向を表わした模式図である。以下、この図６を参照して、変形例１に係る圧電ブロア１Ａ’について説明する。
【０１０１】
図６に示すように、変形例１に係る圧電ブロア１Ａ’は、上述した実施の形態１に係る圧電ブロア１Ａとは異なる構成の駆動部２０Ａ’を備えている。駆動部２０Ａ’は、上述した実施の形態１に係る圧電ブロア１Ａの駆動部２０Ａと同様に、第１振動板３０、第２振動板４０、第３振動板５０、第１スペーサ６０Ａ、第２スペーサ６０Ｂ、第１逆止弁８０Ａ、第２逆止弁８０Ｂ、第３逆止弁８０Ｃおよび圧電素子９０等を有しているものの、圧電素子９０の配設位置およびその構成が相違している。
【０１０２】
具体的には、変形例に係る圧電ブロア１Ａ’においては、圧電素子９０が、たとえば接着剤を介して第１振動板３０の第１ポンプ室２１に面する側の主面に貼り付けられている。すなわち、上述した実施の形態１に係る圧電ブロア１Ａとは異なり、圧電素子９０が、第１弁体保持部材７０Ａを介することなく、直接的に第１振動板３０に貼り付けられている。
【０１０３】
このように構成した場合にも、上述した実施の形態１において説明した効果と同様の効果を得ることができ、従来に比して流量が増大した圧電ブロアとすることができる。
【０１０４】
（変形例２）
図７は、上述した実施の形態１に基づいた変形例２に係る圧電ブロアの分解斜視図である。以下、この図７を参照して、変形例に係る圧電ブロア１Ａ”について説明する。
【０１０５】
図７に示すように、変形例２に係る圧電ブロア１Ａ”は、上述した実施の形態１に係る圧電ブロア１Ａとは異なる構成の駆動部２０Ａ”を備えている。駆動部２０Ａ”は、上述した実施の形態１に係る圧電ブロア１Ａの駆動部２０Ａと同様に、第１振動板３０、第２振動板４０、第３振動板５０、第１スペーサ６０Ａ、第２スペーサ６０Ｂ、第１逆止弁８０Ａ、第２逆止弁８０Ｂ、第３逆止弁８０Ｃおよび圧電素子９０等を有しているものの、このうちの第２振動板４０および第３振動板５０に設けられた孔の数が相違している。
【０１０６】
具体的には、変形例２に係る圧電ブロア１Ａ”においては、第２振動板４０に設けられた複数個の第２孔部４１の数および第３振動板５０に設けられた複数個の第３孔部５１の数が、それぞれ上述した実施の形態１に係る圧電ブロア１Ａに比較して大幅に減じられており、その数はいずれも合計で１０個である。これにより、複数個の第２孔部４１の総数および複数個の第３孔部５１の総数は、いずれも複数個の第１孔部３１の総数よりも少なくなっている。
【０１０７】
このように構成した場合には、複数個の第２孔部４１が設けられた部分の第２振動板４０の近傍に位置する領域の第１ポンプ室２１と、複数個の第３孔部５１が設けられた部分の第３振動板５０の近傍に位置する領域の第２ポンプ室２２とに、大きな圧力変化の分散が生じ難くなる。そのため、これら複数個の第２孔部４１に付設された第２逆止弁８０Ｂおよび複数個の第３孔部５１に付設された第３逆止弁８０Ｃについても、これらを確実に開閉させることが可能になる。そのため、この点においても流量の増大が図られることになる。
【０１０８】
したがって、このように構成した場合にも、上述した実施の形態１において説明した効果に準じた効果を得ることができ、従来に比して流量が増大した圧電ブロアとすることができる。このように、第２振動板４０および第３振動板５０に設けられる孔の数は、何ら制限されるものではなく、少なくとも１個以上設けられていればよい。
【０１０９】
なお、本変形例においては、上述した実施の形態１に係る圧電ブロア１Ａに比較して、第２振動板４０に設けられた複数個の第２孔部４１の数、および、第３振動板５０に設けられた複数個の第３孔部５１の数の双方が減じられた場合を例示したが、第２振動板４０に設けられた複数個の第２孔部４１の数、および、第３振動板５０に設けられた複数個の第３孔部５１の数のうちの一方のみが減じられてもよい。
【０１１０】
（実施の形態２）
図８は、本発明の実施の形態２に係る圧電ブロアの駆動部の構成および動作時に発生する気流のおおまかな方向ならびに第１ポンプ室および第２ポンプ室に発生する圧力変動を表わした模式図である。以下、この図８を参照して、本実施の形態に係る圧電ブロア１Ｂについて説明する。
【０１１１】
図８（Ａ）に示すように、本実施の形態に係る圧電ブロア１Ｂは、上述した実施の形態１に係る圧電ブロア１Ａとは異なる構成の駆動部２０Ｂを備えている。駆動部２０Ｂは、上述した実施の形態１に係る圧電ブロア１Ａの駆動部２０Ａと同様に、第１振動板３０、第２振動板４０、第３振動板５０、第１スペーサ６０Ａ、第２スペーサ６０Ｂ、第１逆止弁８０Ａ、第２逆止弁８０Ｂ、第３逆止弁８０Ｃおよび圧電素子９０等を有しているものの、第２振動板４０および第３振動板５０に設けられた孔の構成が相違している。
【０１１２】
具体的には、第２振動板４０には、当該第２振動板４０の中央部よりも外側であってかつ当該第２振動板４０に形成される振動の節のうちの最も内側の振動の節よりも内側の領域に複数個の第２孔部４１が設けられている。当該複数個の第２孔部４１は、軸線１００の延在方向に沿って見た場合に当該軸線１００を中心とした円周上の位置に点列状に配置されている。
【０１１３】
また、第３振動板５０には、当該第３振動板５０の中央部よりも外側であってかつ当該第３振動板５０に形成される振動の節のうちの最も内側の振動の節よりも内側の領域に複数個の第３孔部５１が設けられている。当該複数個の第３孔部５１は、軸線１００の延在方向に沿って見た場合に当該軸線１００を中心とした円周上の位置に点列状に配置されている。
【０１１４】
当該構成を採用した場合にも、第１状態および第２状態において、それぞれ図８（Ｂ）および図８（Ｃ）に示す如くの第１ポンプ室２１および第２ポンプ室２２の圧力変動を得ることができ、これに基づき、圧電ブロア１Ｂにおいて、図８（Ａ）に示す如くの気流が発生することになる。
【０１１５】
ここで、これら複数個の第２孔部４１が設けられた第２振動板４０の領域および複数個の第３孔部５１が設けられた第３振動板５０の領域は、共に、第２振動板４０に形成される振動の腹および第３振動板５０に形成される振動の腹よりも、駆動時において生じる変位が小さい部分ではあるものの、このように構成した場合にも、上述した実施の形態１において説明した効果に準じた効果を得ることができ、従来に比して流量が増大した圧電ブロアとすることができる。
【０１１６】
（実施の形態３）
図９は、本発明の実施の形態３に係る圧電ブロアの駆動部の構成および動作時に発生する気流のおおまかな方向ならびに第１ポンプ室および第２ポンプ室に発生する圧力変動を表わした模式図である。以下、この図９を参照して、本実施の形態に係る圧電ブロア１Ｃについて説明する。
【０１１７】
図９（Ａ）に示すように、本実施の形態に係る圧電ブロア１Ｃは、上述した実施の形態１に係る圧電ブロア１Ａとは異なる構成の駆動部２０Ｃを備えている。駆動部２０Ｃは、上述した実施の形態１に係る圧電ブロア１Ａの駆動部２０Ａと同様に、第１振動板３０、第２振動板４０、第３振動板５０、第１スペーサ６０Ａ、第２スペーサ６０Ｂ、第１逆止弁８０Ａ、第２逆止弁８０Ｂ、第３逆止弁８０Ｃおよび圧電素子９０等を有しているものの、第２振動板４０および第３振動板５０に設けられた孔の構成が相違している。
【０１１８】
具体的には、第２振動板４０には、軸線１００の延在方向に沿って見た場合に当該軸線１００に重なる領域に１個の第２孔部４１が設けられており、第３振動板５０には、軸線１００の延在方向に沿って見た場合に当該軸線１００に重なる領域に１個の第３孔部５１が設けられている。
【０１１９】
当該構成を採用した場合にも、第１状態および第２状態において、それぞれ図９（Ｂ）および図９（Ｃ）に示す如くの第１ポンプ室２１および第２ポンプ室２２の圧力変動を得ることができ、これに基づき、圧電ブロア１Ｃにおいて、図９（Ａ）に示す如くの気流が発生することになる。
【０１２０】
ここで、これら１個の第２孔部４１が設けられた第２振動板４０の領域および１個の第３孔部５１が設けられた第３振動板５０の領域は、共に、駆動時においてより大きい変位が生じる部分であるため、このように構成した場合にも、上述した実施の形態１において説明した効果に準じた効果を得ることができ、従来に比して流量が増大した圧電ブロアとすることができる。
【０１２１】
なお、これら１個の第２孔部４１が設けられた第２振動板４０の領域および１個の第３孔部５１が設けられた第３振動板５０の領域は、第２振動板４０および第３振動板５０の各々の中央部であるため、当該領域以外の領域に複数個の第２孔部４１および複数個の第３孔部５１をそれぞれ設ける場合よりも、基本的には流路抵抗が大きくなる。しかしながら、その一方で、これらの領域は、共に振動の腹となるため、当該構成を採用した場合には、第１振動板３０に設けられた複数個の第１孔部３１に付設された第１逆止弁８０Ａのみならず、これら１個の第２孔部４１に付設された第２逆止弁８０Ｂおよび１個の第３孔部５１に付設された第３逆止弁８０Ｃについても、これらを確実に開閉させることができる効果を得ることができる。
【０１２２】
そのため、このように構成した場合にも、上述した実施の形態１において説明した効果に準じた効果を得ることができ、従来に比して流量が増大した圧電ブロアとすることができる。
【０１２３】
（実施の形態４）
図１０は、本発明の実施の形態４に係る圧電ブロアの駆動部の構成および動作時に発生する気流のおおまかな方向ならびに第１ポンプ室および第２ポンプ室に発生する圧力変動を表わした模式図である。以下、この図１０を参照して、本実施の形態に係る圧電ブロア１Ｄについて説明する。
【０１２４】
図１０（Ａ）に示すように、本実施の形態に係る圧電ブロア１Ｄは、上述した実施の形態３に係る圧電ブロア１Ｃとは異なる構成の駆動部２０Ｄを備えている。駆動部２０Ｄは、上述した実施の形態３に係る圧電ブロア１Ｃの駆動部２０Ｃと同様に、第１振動板３０、第２振動板４０、第３振動板５０、第１スペーサ６０Ａ、第２スペーサ６０Ｂ、第１逆止弁８０Ａ、第３逆止弁８０Ｃおよび圧電素子９０等を有しているものの、第２逆止弁８０Ｂを有していない点においてのみ、その構成が相違している。
【０１２５】
当該構成を採用した場合には、第１状態および第２状態において、それぞれ図１０（Ｂ）および図１０（Ｃ）に示す如くの第１ポンプ室２１および第２ポンプ室２２の圧力変動を得ることができ、これに基づき、圧電ブロア１Ｄにおいて、図１０（Ａ）に示す如くの気流が発生することになる。
【０１２６】
このように構成した場合にも、第３振動板５０に設けられた複数個の第３孔部５１に第３逆止弁８０Ｃを設けることにより、上述した第２状態において、複数個の第３孔部５１が、第３逆止弁８０Ｃによって閉鎖されることになる。そのため、当該第２状態において、複数個の第１孔部３１の近傍に位置する部分の第２ポンプ室２２の負圧がより低く維持されることになり、結果として第１ポンプ室２１と第２ポンプ室２２との差圧ΔＰが特に大きくなり、これに伴って第１逆止弁８０Ａが開いた状態が確実に実現できることになる。
【０１２７】
そのため、このように構成した場合にも、上述した実施の形態１において説明した効果に準じた効果を得ることができ、従来に比して流量が増大した圧電ブロアとすることができる。
【０１２８】
（実施の形態５）
図１１は、本発明の実施の形態５に係る圧電ブロアの駆動部の構成および動作時に発生する気流のおおまかな方向ならびに第１ポンプ室および第２ポンプ室に発生する圧力変動を表わした模式図である。以下、この図１１を参照して、本実施の形態に係る圧電ブロア１Ｅについて説明する。
【０１２９】
図１１（Ａ）に示すように、本実施の形態に係る圧電ブロア１Ｅは、上述した実施の形態３に係る圧電ブロア１Ｃとは異なる構成の駆動部２０Ｅを備えている。駆動部２０Ｅは、上述した実施の形態３に係る圧電ブロア１Ｃの駆動部２０Ｃと同様に、第１振動板３０、第２振動板４０、第３振動板５０、第１スペーサ６０Ａ、第２スペーサ６０Ｂ、第１逆止弁８０Ａ、第２逆止弁８０Ｂおよび圧電素子９０等を有しているものの、第３逆止弁８０Ｃを有していない点においてのみ、その構成が相違している。
【０１３０】
当該構成を採用した場合には、第１状態および第２状態において、それぞれ図１１（Ｂ）および図１１（Ｃ）に示す如くの第１ポンプ室２１および第２ポンプ室２２の圧力変動を得ることができ、これに基づき、圧電ブロア１Ｅにおいて、図１１（Ａ）に示す如くの気流が発生することになる。
【０１３１】
このように構成した場合にも、第２振動板４０に設けられた複数個の第２孔部４１に第２逆止弁８０Ｂを設けることにより、上述した第２状態において、複数個の第２孔部４１が、第２逆止弁８０Ｂによって閉鎖されることになる。そのため、当該第２状態において、複数個の第１孔部３１の近傍に位置する部分の第１ポンプ室２１の正圧がより高く維持されることになり、結果として第１ポンプ室２１と第２ポンプ室２２との差圧ΔＰが特に大きくなり、これに伴って第１逆止弁８０Ａが開いた状態が確実に実現できることになる。
【０１３２】
そのため、このように構成した場合にも、上述した実施の形態１において説明した効果に準じた効果を得ることができ、従来に比して流量が増大した圧電ブロアとすることができる。
【０１３３】
（実施の形態６）
図１２は、本発明の実施の形態６に係る圧電ブロアの駆動部の構成および動作時に発生する気流のおおまかな方向ならびに第１ポンプ室および第２ポンプ室に発生する圧力変動を表わした模式図である。以下、この図１２を参照して、本実施の形態に係る圧電ブロア１Ｆについて説明する。
【０１３４】
図１２（Ａ）に示すように、本実施の形態に係る圧電ブロア１Ｆは、上述した実施の形態２に係る圧電ブロア１Ｂとは異なる構成の駆動部２０Ｂを備えている。駆動部２０Ｂは、上述した実施の形態２に係る圧電ブロア１Ｂの駆動部２０Ｂと同様に、第１振動板３０、第２振動板４０、第３振動板５０、第１スペーサ６０Ａ、第２スペーサ６０Ｂ、第１逆止弁８０Ａ、第２逆止弁８０Ｂ、第３逆止弁８０Ｃおよび圧電素子９０等を有しているものの、第１振動板３０に設けられた孔の構成が相違している。
【０１３５】
具体的には、第１振動板３０には、軸線１００の延在方向に沿って見た場合に当該軸線１００に重ならない領域であって、第１振動板３０の中央部を除く位置に形成される振動の腹よりも外側の領域でかつ当該第１振動板の周縁部よりも内側の領域に複数個の第１孔部３１が設けられている。複数個の第１孔部３１は、軸線１００の延在方向に沿って見た場合に当該軸線１００を中心とした円周上の位置に点列状に配置されている。
【０１３６】
当該構成を採用した場合にも、第１状態および第２状態において、それぞれ図１２（Ｂ）および図１２（Ｃ）に示す如くの第１ポンプ室２１および第２ポンプ室２２の圧力変動を得ることができ、これに基づき、圧電ブロア１Ｆにおいて、図１２（Ａ）に示す如くの気流が発生することになる。
【０１３７】
ここで、これら複数個の第１孔部３１が設けられた第１振動板３０の領域は、第１振動板３０に形成される振動の腹よりも、駆動時において生じる変位が小さい部分ではあるものの、このように構成した場合にも、上述した実施の形態１において説明した効果に準じた効果を得ることができ、従来に比して流量が増大した圧電ブロアとすることができる。
【０１３８】
なお、第１振動板３０に形成される振動の腹に重ならない領域に複数個の第１孔部３１を配置する場合においては、本実施の形態の如く、第１振動板３０の周縁部を除く領域に形成される振動の節のうち、第１振動板３０の中央部から最も遠い位置に形成される振動の節よりも外側の領域に、当該複数個の第１孔部３１を配置することが好ましい。これは、駆動時において、当該領域に対応する部分の第１ポンプ室２１および第２ポンプ室２２の体積変動が、上記節よりも内側の領域に対応する部分の第１ポンプ室２１および第２ポンプ室２２の体積変動よりも全体として大きくなるためであり、このように構成することにより、より大きな差圧を得ることが可能になるためである。
【０１３９】
（その他）
上述した本発明の実施の形態１ないし６およびその変形例においては、第１板状体に設けられた複数個の第１孔部が、いずれも円環状に点列して配置された場合を例示して説明を行なったが、必ずしもこれを円環状に点列して配置する必要はなく、そのレイアウトは適宜変更が可能である。
【０１４０】
また、上述した本発明の実施の形態１，２，６およびその変形例においては、第２板状体に設けられた複数個の第２孔部および第３板状体に設けられた複数個の第３孔部の双方が、いずれも円環状に点列して配置された場合を例示して説明を行なったが、必ずしもこれらを円環状に点列して配置する必要はなく、そのレイアウトは適宜変更が可能である。
【０１４１】
また、上述した本発明の実施の形態１ないし６およびその変形例においては、駆動体としての圧電素子を第１板状体の一方の主面側に貼り付けた場合を例示して説明を行なったが、圧電素子を一対設け、これら一対の圧電素子を第１板状体の両方の主面側に貼り付ける構成としてもよい。その場合には、第１板状体の変位を増大させることができるため、さらなる流量の増加を図ることができる。
【０１４２】
また、上述した本発明の実施の形態１ないし６およびその変形例においては、駆動体としての圧電素子を第１板状体に貼り付けた場合を例示して説明を行なったが、当該圧電素子を第２板状体または第３板状体あるいはその両方に貼り付けることとしてもよい。その場合には、圧電素子への配線の取り回しが容易化する効果を得ることができる。
【０１４３】
また、上述した本発明の実施の形態１ないし６およびその変形例においては、圧電素子が、第１板状体の中央部、第２板状体の中央部および第３板状体の中央部にそれぞれ振動の腹が形成されるとともに、当該第１板状体の中央部を除く位置、当該第２板状体の中央部を除く位置および当該第３板状体の中央部を除く位置においてもそれぞれ振動の腹が径方向において１つ形成されることとなるように、第１板状体、第２板状体および第３板状体を屈曲振動させる場合を例示して説明を行なったが、圧電素子は、第１板状体の中央部、第２板状体の中央部および第３板状体の中央部のそれぞれのみに腹が形成されることとなるように、第１板状体、第２板状体および第３板状体を屈曲振動させてもよい。また、圧電素子が、第１板状体の中央部、第２板状体の中央部および第３板状体の中央部にそれぞれ振動の腹が形成されるとともに、当該第１板状体の中央部を除く位置、当該第２板状体の中央部を除く位置および当該第３板状体の中央部を除く位置においてもそれぞれ径方向において振動の腹が２箇所以上形成されることとなるように、第１板状体、第２板状体および第３板状体を屈曲振動させてもよい。
【０１４４】
また、上述した本発明の実施の形態１ないし６およびその変形例においては、第１板状体のみならず、第２板状体および第３板状体をも屈曲振動させるように構成した場合を例示して説明を行なったが、第２板状体および第３板状体を必ずしも屈曲振動させる必要はなく、第１板状体のみが屈曲振動するように構成してもよい。
【０１４５】
さらには、上述した本発明の実施の形態１ないし６およびその変形例において示した特徴的な構成は、本発明の趣旨を逸脱しない範囲において適宜組み合わせることができる。
【０１４６】
加えて、上述した本発明の実施の形態１ないし６およびその変形例においては、気体を吸入して吐出する圧電ブロアに本発明を適用した場合を例示して説明を行なったが、液体を吸入して吐出するポンプや、駆動体として圧電素子以外のものを利用するポンプ（ただし、当然に、振動板の屈曲振動を利用した容積式のポンプに限られる）に本発明を適用することも可能である。
【０１４７】
なお、上述した本発明の実施の形態１ないし６およびその変形例においては、本発明が適用されたポンプおよび流体制御装置のうち、本発明が適用されたポンプのみについて詳細に説明を行なったが、本発明が適用された流体制御装置は、この本発明が適用されたポンプを搭載してなるものである。すなわち、本発明が適用された流体制御装置は、本発明が適用されたポンプ（たとえば、上述した本発明の実施の形態１ないし６およびその変形例に係る圧電ブロア）を一部品として含む流体システムであり、当該ポンプと他の流体制御部品とが協働することにより、用途に応じて流体の挙動を制御するものである。
【０１４８】
このように、今回開示した上記実施の形態および変形例はすべての点で例示であって、制限的なものではない。本発明の技術的範囲は請求の範囲によって画定され、また請求の範囲の記載と均等の意味および範囲内でのすべての変更を含むものである。
【符号の説明】
【０１４９】
１Ａ〜１Ｆ，１Ａ’，１Ａ”  圧電ブロア、１０  筐体、１１  第１ケース体、１２  第２ケース体、１３  収容空間、１４  第１ノズル部、１５  第２ノズル部、２０Ａ〜２０Ｅ，２０Ａ’，２０Ａ”  駆動部、２１  第１ポンプ室、２２  第２ポンプ室、３０  第１振動板、３１  第１孔部、４０  第２振動板、４１  第２孔部、５０  第３振動板、５１  第３孔部、６０Ａ  第１スペーサ、６０Ｂ  第２スペーサ、７０Ａ  第１弁体保持部材、７０Ｂ  第２弁体保持部材、７０Ｃ  第３弁体保持部材、７１ａ  第１環状段差部、７１ｂ  第２環状段差部、７１ｃ  第３環状段差部、８０Ａ  第１逆止弁、８０Ｂ  第２逆止弁、８０Ｃ  第３逆止弁、９０  圧電素子、１００  軸線。
【図１】
2019138676.tif 000003
【図２】
2019138676.tif 000004
【図３】
2019138676.tif 000005
【図４】
2019138676.tif 000006
【図５】
2019138676.tif 000007
【図６】
2019138676.tif 000008
【図７】
2019138676.tif 000009
【図８】
2019138676.tif 000010
【図９】
2019138676.tif 000011
【図１０】
2019138676.tif 000012
【図１１】
2019138676.tif 000013
【図１２】
2019138676.tif 000014
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
第１板状体と、
前記第１板状体に対向する第２板状体と、
前記第１板状体から見て前記第２板状体が位置する側とは反対側に位置し、前記第１板状体に対向する第３板状体と、
前記第１板状体の周縁部および前記第２板状体の周縁部を接続する第１周壁部と、
前記第１板状体の周縁部および前記第３板状体の周縁部を接続する第２周壁部と、
前記第１板状体および前記第２板状体の間に位置し、前記第１板状体、前記第２板状体および前記第１周壁部によって規定された第１ポンプ室と、
前記第１板状体および前記第３板状体の間に位置し、前記第１板状体、前記第３板状体および前記第２周壁部によって規定された第２ポンプ室と、
前記第１板状体を屈曲振動させることにより、前記第１ポンプ室および前記第２ポンプ室の双方に圧力変動を生じさせる駆動体とを備え、
前記第１板状体には、各々に逆止弁が付設された複数個の第１孔部が設けられ、
前記複数個の第１孔部の各々は、前記第１板状体の中央部に直交する軸線の延在方向に沿って見た場合に当該軸線に重ならない領域に配置され、
前記第２板状体には、１個または複数個の第２孔部が設けられ、
前記第３板状体には、１個または複数個の第３孔部が設けられ、
前記駆動体が、前記第１板状体の中央部に振動の腹が形成されることとなるように、前記軸線を中心として前記第１板状体に定在波が発生するように前記第１板状体を屈曲振動させるものであり、
前記複数個の第１孔部の各々が、前記第１板状体に形成される振動の節に重ならない領域に配置され、
前記第１板状体の中央部を除く位置においても振動の腹が形成されることとなるように、前記第１板状体が、前記駆動体によって屈曲振動され、
前記１個または複数個の第２孔部に逆止弁が付設され、
前記１個または複数個の第２孔部が、前記軸線の延在方向に沿って見た場合に前記第１板状体に形成される振動の節に重ならない領域に配置されている、ポンプ。
【請求項２】
第１板状体と、
前記第１板状体に対向する第２板状体と、
前記第１板状体から見て前記第２板状体が位置する側とは反対側に位置し、前記第１板状体に対向する第３板状体と、
前記第１板状体の周縁部および前記第２板状体の周縁部を接続する第１周壁部と、
前記第１板状体の周縁部および前記第３板状体の周縁部を接続する第２周壁部と、
前記第１板状体および前記第２板状体の間に位置し、前記第１板状体、前記第２板状体および前記第１周壁部によって規定された第１ポンプ室と、
前記第１板状体および前記第３板状体の間に位置し、前記第１板状体、前記第３板状体および前記第２周壁部によって規定された第２ポンプ室と、
前記第１板状体を屈曲振動させることにより、前記第１ポンプ室および前記第２ポンプ室の双方に圧力変動を生じさせる駆動体とを備え、
前記第１板状体には、各々に逆止弁が付設された複数個の第１孔部が設けられ、
前記複数個の第１孔部の各々は、前記第１板状体の中央部に直交する軸線の延在方向に沿って見た場合に当該軸線に重ならない領域に配置され、
前記第２板状体には、１個または複数個の第２孔部が設けられ、
前記第３板状体には、１個または複数個の第３孔部が設けられ、
前記駆動体が、前記第１板状体の中央部に振動の腹が形成されることとなるように、前記軸線を中心として前記第１板状体に定在波が発生するように前記第１板状体を屈曲振動させるものであり、
前記複数個の第１孔部の各々が、前記第１板状体に形成される振動の節に重ならない領域に配置され、
前記第１板状体の中央部を除く位置においても振動の腹が形成されることとなるように、前記第１板状体が、前記駆動体によって屈曲振動され、
前記１個または複数個の第３孔部に逆止弁が付設され、
前記１個または複数個の第３孔部が、前記軸線の延在方向に沿って見た場合に前記第１板状体に形成される振動の節に重ならない領域に配置されている、ポンプ。
【請求項３】
前記複数個の第１孔部が、前記軸線の延在方向に沿って見た場合に当該軸線を中心とした円周上の位置に点列状に配置されている、請求項１または２に記載のポンプ。
【請求項４】
前記複数個の第１孔部のうちの隣り合う第１孔部の間の距離が、前記軸線と前記複数個の第１孔部の各々との間の距離よりも小さい、請求項３に記載のポンプ。
【請求項５】
前記複数個の第１孔部のうちの少なくとも１個が、前記第１板状体の中央部を除く位置に形成される振動の腹に重なる領域に配置されている、請求項１から４のいずれかに記載のポンプ。
【請求項６】
前記複数個の第１孔部の各々が、前記第１板状体の中央部を除く位置に形成される振動の腹に重なる領域に配置されている、請求項５に記載のポンプ。
【請求項７】
前記複数個の第１孔部の各々が、前記第１板状体の周縁部を除く領域に形成される振動の節のうち、当該第１板状体の中央部から最も遠い位置に形成される振動の節よりも外側の領域に配置されている、請求項１から６のいずれかに記載のポンプ。
【請求項８】
前記１個または複数個の第２孔部が、前記軸線の延在方向に沿って見た場合に前記第１板状体の中央部を除く位置に形成される振動の腹に重なる領域に配置されている、請求項１に記載のポンプ。
【請求項９】
前記１個または複数個の第３孔部が、前記軸線の延在方向に沿って見た場合に前記第１板状体の中央部を除く位置に形成される振動の腹に重なる領域に配置されている、請求項２に記載のポンプ。
【請求項１０】
第１板状体と、
前記第１板状体に対向する第２板状体と、
前記第１板状体から見て前記第２板状体が位置する側とは反対側に位置し、前記第１板状体に対向する第３板状体と、
前記第１板状体の周縁部および前記第２板状体の周縁部を接続する第１周壁部と、
前記第１板状体の周縁部および前記第３板状体の周縁部を接続する第２周壁部と、
前記第１板状体および前記第２板状体の間に位置し、前記第１板状体、前記第２板状体および前記第１周壁部によって規定された第１ポンプ室と、
前記第１板状体および前記第３板状体の間に位置し、前記第１板状体、前記第３板状体および前記第２周壁部によって規定された第２ポンプ室と、
前記第１板状体を屈曲振動させることにより、前記第１ポンプ室および前記第２ポンプ室の双方に圧力変動を生じさせる駆動体とを備え、
前記第１板状体には、各々に逆止弁が付設された複数個の第１孔部が設けられ、
前記複数個の第１孔部の各々は、前記第１板状体の中央部に直交する軸線の延在方向に沿って見た場合に当該軸線に重ならない領域に配置され、
前記第２板状体には、複数個の第２孔部が設けられ、
前記第３板状体には、１個または複数個の第３孔部が設けられ、
前記駆動体が、前記第１板状体の中央部に振動の腹が形成されることとなるように、前記軸線を中心として前記第１板状体に定在波が発生するように前記第１板状体を屈曲振動させるものであり、
前記複数個の第１孔部の各々が、前記第１板状体に形成される振動の節に重ならない領域に配置され、
前記複数個の第２孔部の各々に逆止弁が付設され、
前記複数個の第１孔部が、前記軸線の延在方向に沿って見た場合に当該軸線を中心とした円周上の位置に点列状に配置され、
前記複数個の第２孔部が、前記軸線の延在方向に沿って見た場合に当該軸線を中心とした円周上の位置に点列状に配置され、
前記第１板状体の中央部を除く位置においても振動の腹が形成されることとなるように、前記第１板状体が、前記駆動体によって屈曲振動され、
前記複数個の第２孔部が、前記軸線の延在方向に沿って見た場合に前記第１板状体に形成される振動の節に重ならない領域に配置されている、ポンプ。
【請求項１１】
前記複数個の第１孔部の各々が、前記第１板状体の中央部を除く位置に形成される振動の腹に重なる領域に配置され、
前記複数個の第２孔部の各々が、前記軸線の延在方向に沿って見た場合に前記第１板状体に形成される振動の腹に重なる領域に配置されている、請求項１０に記載のポンプ。
【請求項１２】
前記複数個の第２孔部の総数が、前記複数個の第１孔部の総数よりも少ない、請求項１０または１１に記載のポンプ。
【請求項１３】
第１板状体と、
前記第１板状体に対向する第２板状体と、
前記第１板状体から見て前記第２板状体が位置する側とは反対側に位置し、前記第１板状体に対向する第３板状体と、
前記第１板状体の周縁部および前記第２板状体の周縁部を接続する第１周壁部と、
前記第１板状体の周縁部および前記第３板状体の周縁部を接続する第２周壁部と、
前記第１板状体および前記第２板状体の間に位置し、前記第１板状体、前記第２板状体および前記第１周壁部によって規定された第１ポンプ室と、
前記第１板状体および前記第３板状体の間に位置し、前記第１板状体、前記第３板状体および前記第２周壁部によって規定された第２ポンプ室と、
前記第１板状体を屈曲振動させることにより、前記第１ポンプ室および前記第２ポンプ室の双方に圧力変動を生じさせる駆動体とを備え、
前記第１板状体には、各々に逆止弁が付設された複数個の第１孔部が設けられ、
前記複数個の第１孔部の各々は、前記第１板状体の中央部に直交する軸線の延在方向に沿って見た場合に当該軸線に重ならない領域に配置され、
前記第２板状体には、複数個の第２孔部が設けられ、
前記第３板状体には、複数個の第３孔部が設けられ、
前記駆動体が、前記第１板状体の中央部に振動の腹が形成されることとなるように、前記軸線を中心として前記第１板状体に定在波が発生するように前記第１板状体を屈曲振動させるものであり、
前記複数個の第１孔部の各々が、前記第１板状体に形成される振動の節に重ならない領域に配置され、
前記複数個の第２孔部の各々に逆止弁が付設され、
前記複数個の第１孔部が、前記軸線の延在方向に沿って見た場合に当該軸線を中心とした円周上の位置に点列状に配置され、
前記複数個の第２孔部が、前記軸線の延在方向に沿って見た場合に当該軸線を中心とした円周上の位置に点列状に配置され、
前記複数個の第３孔部の各々に逆止弁が付設され、
前記複数個の第３孔部が、前記軸線の延在方向に沿って見た場合に当該軸線を中心とした円周上の位置に点列状に配置され、
前記第１板状体の中央部を除く位置においても振動の腹が形成されることとなるように、前記第１板状体が、前記駆動体によって屈曲振動され、
前記複数個の第２孔部が、前記軸線の延在方向に沿って見た場合に前記第１板状体に形成される振動の節に重ならない領域に配置され、
前記複数個の第３孔部が、前記軸線の延在方向に沿って見た場合に前記第１板状体に形成される振動の節に重ならない領域に配置されている、ポンプ。
【請求項１４】
前記複数個の第１孔部の各々が、前記第１板状体の中央部を除く位置に形成される振動の腹に重なる領域に配置され、
前記複数個の第２孔部の各々が、前記軸線の延在方向に沿って見た場合に前記第１板状体に形成される振動の腹に重なる領域に配置され、
前記複数個の第３孔部の各々が、前記軸線の延在方向に沿って見た場合に前記第１板状体に形成される振動の腹に重なる領域に配置されている、請求項１３に記載のポンプ。
【請求項１５】
第１板状体と、
前記第１板状体に対向する第２板状体と、
前記第１板状体から見て前記第２板状体が位置する側とは反対側に位置し、前記第１板状体に対向する第３板状体と、
前記第１板状体の周縁部および前記第２板状体の周縁部を接続する第１周壁部と、
前記第１板状体の周縁部および前記第３板状体の周縁部を接続する第２周壁部と、
前記第１板状体および前記第２板状体の間に位置し、前記第１板状体、前記第２板状体および前記第１周壁部によって規定された第１ポンプ室と、
前記第１板状体および前記第３板状体の間に位置し、前記第１板状体、前記第３板状体および前記第２周壁部によって規定された第２ポンプ室と、
前記第１板状体を屈曲振動させることにより、前記第１ポンプ室および前記第２ポンプ室の双方に圧力変動を生じさせる駆動体とを備え、
前記第１板状体には、各々に逆止弁が付設された複数個の第１孔部が設けられ、
前記複数個の第１孔部の各々は、前記第１板状体の中央部に直交する軸線の延在方向に沿って見た場合に当該軸線に重ならない領域に配置され、
前記第２板状体には、複数個の第２孔部が設けられ、
前記第３板状体には、複数個の第３孔部が設けられ、
前記駆動体が、前記第１板状体の中央部に振動の腹が形成されることとなるように、前記軸線を中心として前記第１板状体に定在波が発生するように前記第１板状体を屈曲振動させるものであり、
前記複数個の第１孔部の各々が、前記第１板状体に形成される振動の節に重ならない領域に配置され、
前記複数個の第２孔部の各々に逆止弁が付設され、
前記複数個の第１孔部が、前記軸線の延在方向に沿って見た場合に当該軸線を中心とした円周上の位置に点列状に配置され、
前記複数個の第２孔部が、前記軸線の延在方向に沿って見た場合に当該軸線を中心とした円周上の位置に点列状に配置され、
前記複数個の第３孔部の各々に逆止弁が付設され、
前記複数個の第３孔部が、前記軸線の延在方向に沿って見た場合に当該軸線を中心とした円周上の位置に点列状に配置され、
前記複数個の第２孔部の総数が、前記複数個の第１孔部の総数よりも少なく、
前記複数個の第３孔部の総数が、前記複数個の第１孔部の総数よりも少ない、ポンプ。
【請求項１６】
第１板状体と、
前記第１板状体に対向する第２板状体と、
前記第１板状体から見て前記第２板状体が位置する側とは反対側に位置し、前記第１板状体に対向する第３板状体と、
前記第１板状体の周縁部および前記第２板状体の周縁部を接続する第１周壁部と、
前記第１板状体の周縁部および前記第３板状体の周縁部を接続する第２周壁部と、
前記第１板状体および前記第２板状体の間に位置し、前記第１板状体、前記第２板状体および前記第１周壁部によって規定された第１ポンプ室と、
前記第１板状体および前記第３板状体の間に位置し、前記第１板状体、前記第３板状体および前記第２周壁部によって規定された第２ポンプ室と、
前記第１板状体を屈曲振動させることにより、前記第１ポンプ室および前記第２ポンプ室の双方に圧力変動を生じさせる駆動体とを備え、
前記第１板状体には、各々に逆止弁が付設された複数個の第１孔部が設けられ、
前記複数個の第１孔部の各々は、前記第１板状体の中央部に直交する軸線の延在方向に沿って見た場合に当該軸線に重ならない領域に配置され、
前記第２板状体には、複数個の第２孔部が設けられ、
前記第３板状体には、複数個の第３孔部が設けられ、
前記駆動体が、前記第１板状体の中央部に振動の腹が形成されることとなるように、前記軸線を中心として前記第１板状体に定在波が発生するように前記第１板状体を屈曲振動させるものであり、
前記複数個の第１孔部の各々が、前記第１板状体に形成される振動の節に重ならない領域に配置され、
前記複数個の第２孔部の各々に逆止弁が付設され、
前記複数個の第１孔部が、前記軸線の延在方向に沿って見た場合に当該軸線を中心とした円周上の位置に点列状に配置され、
前記複数個の第２孔部が、前記軸線の延在方向に沿って見た場合に当該軸線を中心とした円周上の位置に点列状に配置され、
前記複数個の第３孔部の各々に逆止弁が付設され、
前記複数個の第３孔部が、前記軸線の延在方向に沿って見た場合に当該軸線を中心とした円周上の位置に点列状に配置され、
前記駆動体が、前記第２板状体の中央部に振動の腹が形成されることとなるように、前記軸線を中心として前記第２板状体に定在波が発生するように前記第２板状体を屈曲振動させるとともに、前記第３板状体の中央部に振動の腹が形成されることとなるように、前記軸線を中心として前記第３板状体に定在波が発生するように前記第３板状体を屈曲振動させるものである、ポンプ。
【請求項１７】
前記第１孔部、前記第２孔部および前記第３孔部以外の孔が、前記第１板状体、前記第２板状体、前記第３板状体、前記第１周壁部および前記第２周壁部のいずれにも設けられていない、請求項１から１６のいずれかに記載のポンプ。
【請求項１８】
前記駆動体が、略平板状の圧電素子を含み、
前記圧電素子が、前記第１板状体の中央部に貼り付けられている、請求項１から１７のいずれかに記載のポンプ。
【請求項１９】
前記複数個の第１孔部の各々が、前記軸線の延在方向に沿って見た場合にいずれも前記圧電素子よりも外側に配置されている、請求項１８に記載のポンプ。
【請求項２０】
請求項１から１９のいずれかに記載のポンプが搭載された、流体制御装置。
【国際調査報告】
2019138676.tif 000015
2019138676.tif 000016
2019138676.tif 000017
2019138676.tif 000018